(57)【要約】【課題】  予め登録された音声を受け付けると、対応して撮影のタイマを再起動することにより、被写体となる人物の撮影者が撮影したい写真を撮影することを可能にすることである。【解決手段】  被写体をタイマ撮影する撮像手段を有する撮像装置において、第１の音声特性を記憶する記憶手段と、外部からの音声を入力する音声入力手段と、前記音声入力手段により入力された音声を解析し、該音声の特性を解析する音声解析手段と、前記第１の音声特性と、前記音声解析手段で解析された第２の音声特性とを比較し、該比較結果に基づいて、前記撮像手段によるタイマ撮影のタイマ時間を制御するタイマ制御手段と、を有することを特徴とする。【選択図】図２
2015210467.tif 000002
【特許請求の範囲】
【請求項１】
被写体をタイマ撮影する撮像手段を有する撮像装置において、
第１の音声特性を記憶する記憶手段と、
外部からの音声を入力する音声入力手段と、
前記音声入力手段により入力された音声を解析し、該音声の特性を解析する音声解析手段と、
前記第１の音声特性と、前記音声解析手段で解析された第２の音声特性とを比較し、該比較結果に基づいて、前記撮像手段によるタイマ撮影のタイマ時間を制御するタイマ制御手段と、
を有することを特徴とする撮像装置。
【請求項２】
前記音声入力手段は、前記記憶手段に記憶された第１の音声特性を登録するための音声の入力をも受け付け、
前記音声解析手段は、前記記憶手段に記憶された第１の音声特性を登録するために受け付けた音声の特性をも解析すること
を特徴とする請求項１に記載の撮像装置。
【請求項３】
前記タイマ制御手段で制御する再設定タイマ時間の入力を促す入力画面を表示するタイマ時間設定表示手段と、
前記タイマ時間設定表示手段により入力された再設定タイマ時間を前記タイマ制御手段により制御されるタイマ時間とするタイマ時間設定手段と、
を有することを特徴とする請求項１または２に記載の撮像装置。
【請求項４】
前記タイマ時間設定手段は、前記タイマ時間設定表示手段により入力された再設定タイマ時間を、前記タイマ撮影中のタイマ時間から削除して設定することを特徴とする請求項３に記載の撮像装置。
【請求項５】
前記タイマ制御手段は、前記第１の音声特性と前記第２の音声特性との差分が所定の閾値以下である場合に、前記撮像手段によるタイマ撮影のタイマ時間を制御すること
を特徴とする請求項１乃至４に記載の撮像装置。
【請求項６】
前記記憶手段は、複数の第１の音声特性を記憶し、
前記タイマ制御手段により制御されるタイマ時間を、前記複数の第１の音声特性毎に紐付けて記憶するタイマ時間記憶手段と、
前記タイマ制御手段は、前記記憶手段に記憶された複数の第１の音声特性毎にうち、前記第２の音声特性と比較し、差分が所定の閾値以下である第１の音声特性に紐付けて記憶されたタイマ時間を前記タイマ時間記憶手段から取得し、制御することを特徴とする請求項１乃至５に記載の撮像装置。
【請求項７】
前記音声入力手段は、前記タイマ制御手段によりタイマ時間を制御されて一定時間以内には、音声の入力を受け付けないことを特徴とする請求項１乃至６に記載の撮像装置。
【請求項８】
被写体をタイマ撮影する撮像手段と、第１の音声特性を記憶する記憶手段とを有する撮像装置における撮像制御方法であって、
前記撮像装置の音声入力手段が、外部からの音声を入力する音声入力工程と、
前記撮像装置の音声解析手段が、前記音声入力手段により入力された音声を解析し、該音声の特性を解析する音声解析工程と、
前記撮像装置のタイマ制御手段が、前記第１の音声特性と、前記音声解析手段で解析された第２の音声特性とを比較し、該比較結果に基づいて、前記撮像手段によるタイマ撮影のタイマ時間を制御するタイマ制御工程と、
を有することを特徴とする撮像制御方法。
【請求項９】
請求項８に記載された撮像制御方法を撮像装置に実行させるためのプログラム。
【請求項１０】
請求項８に記載された撮像制御方法を撮像装置に実行させるためのプログラムを記録したコンピュータ読み取り可能な記録媒体。
【発明の詳細な説明】
【技術分野】
【０００１】
本発明は、撮像装置の撮影のタイミングを制御する技術に関する。
【背景技術】
【０００２】
現状カメラのセルフ撮影の場合、カメラに内蔵してあるセルフタイマを使用しての撮影が一般的である。このセルフ撮影は、撮影者が撮影前にタイマの設定と起動を行い、タイマが経過すると、カメラが自動的にシャッターを切る方法である。
【０００３】
このセルフ撮影の場合、設定したタイマの時間待つ必要があり、待ち時間の間にシャッターチャンスを逃したり、不要な被写体が被ってしまい、意図しない構図のまま撮影が実行されてしまう問題がある。
【０００４】
この問題を解決する技術として、特許文献１の技術が開示されている。
【０００５】
特許文献１には、「音記憶撮影モード」で集音した音声とユーザから撮像装置への動作準備のタイミング、撮影のタイミングを記憶し、類似する音声を集音したら、記憶したタイミングで動作準備、撮影を行う技術が開示されている。
【先行技術文献】
【特許文献】
【０００６】
【特許文献１】特開２０１２−１８５３４３号公報
【発明の概要】
【発明が解決しようとする課題】
【０００７】
しかしながら、特許文献１の撮像装置では、同じ状況が繰り返される、たとえばカーレースの観戦席から撮影などでは有効だが、１度しか撮影チャンスがない、もしくは最初からセルフ撮影をうまく撮りたい場合には利用できない技術である。
【０００８】
また、音声に反応して撮影を行う技術も存在するが、セルフ撮影の場合、音声を出す（手を叩く）もしくは発声するタイミングで撮影されると、被写体の自然な表情が撮影できないという問題がある。
【０００９】
本発明の目的は、予め登録された音声を受け付けると、対応して撮影のタイマを再起動することにより、被写体となる人物の撮影者が撮影したい写真を撮影することを可能にすることである。
【課題を解決するための手段】
【００１０】
上記課題を解決するために、本発明は、被写体をタイマ撮影する撮像手段を有する撮像装置において、第１の音声特性を記憶する記憶手段と、外部からの音声を入力する音声入力手段と、前記音声入力手段により入力された音声を解析し、該音声の特性を解析する音声解析手段と、前記第１の音声特性と、前記音声解析手段で解析された第２の音声特性とを比較し、該比較結果に基づいて、前記撮像手段によるタイマ撮影のタイマ時間を制御するタイマ制御手段と、を有することを特徴とする。
【発明の効果】
【００１１】
本発明によれば、予め登録された音声を受け付けると、対応して撮影のタイマを再起動することにより、被写体となる人物の撮影者が撮影したい写真を撮影することを可能にするという効果を有する。
【図面の簡単な説明】
【００１２】
【図１】本実施形態における画像再生装置の一例としての撮像装置１００の外観図である。
【図２】本実施形態における撮像装置１００の構成例を示すブロック図である。
【図３】本実施形態の撮像装置１００におけるタイマ再起動音声を登録する処理の動作を説明するフローチャートである。
【図４】本実施形態の撮像装置１００におけるタイマ撮影処理の動作を説明するフローチャートである。
【図５】本実施形態の撮像装置１００の表示部５４に表示される音声登録時の画面イメージの一例である。
【図６】本実施形態の撮像装置１００の表示部５４に表示される再起動タイマ時間の設定画面イメージの一例である。
【図７】本実施形態の撮像装置１００の表示部５４に表示されるタイマ時間の設定画面イメージの一例である。
【図８】本実施形態の撮像装置１００の表示部５４に表示されるタイマ撮影開始後の画面イメージの一例である。
【図９】本実施形態の撮像装置１００のタイマ再設定のイメージを説明するための模式図である。
【図１０】本実施形態の撮像装置１００の不揮発性メモリ５６に記憶されたタイマ再設定秒数（制御タイマ時間）と音声特性データファイル名との関係を示した模式図である。
【発明を実施するための形態】
【００１３】
以下、添付の図面を参照して本発明の好適な実施形態を説明する。
［撮像装置の構成について］
【００１４】
図１に本発明の撮像装置１００の一例としての外観図を示す。画像表示部２８は画像や各種情報を表示する表示部である。シャッターボタン６１は撮影指示を行うための操作部である。モードダイアル６０は各種モードを切り替えるための操作部である。コネクタ１１２は接続ケーブルと撮像装置１００とのコネクタである。操作部７０はユーザからの各種操作を受け付ける各種スイッチ、ボタン、タッチパネル等の操作部材より成る操作部である。記録媒体２００はメモリカードやハードディスク等の記録媒体である。記録媒体スロット２０１は記録媒体２００を格納するためのスロットである。記録媒体スロット２０１に格納された記録媒体２００は、撮像装置１００との通信が可能となる。蓋２０３は記録媒体スロット２０１の蓋である。
【００１５】
図２は撮像装置１００の構成例を示すブロック図である。
【００１６】
図２において、１０は撮影レンズ、１２は絞り機能を備えるシャッター、１４は光学像を電気信号に変換する撮像素子である。１６はＡ／Ｄ変換器であり、撮像素子１４のアナログ信号出力をデジタル信号に変換する。１８はタイミング発生回路であり、撮像素子１４、Ａ／Ｄ変換器１６、Ｄ／Ａ変換器２６にクロック信号や制御信号を供給する。タイミング発生回路１８は、メモリ制御回路２２及びシステム制御回路５０により制御される。
【００１７】
２０は画像処理回路であり、Ａ／Ｄ変換器１６からのデータあるいはメモリ制御回路２２からのデータに対して所定の画素補間処理や色変換処理を行う。また、画像処理回路２０は、撮像した画像データを用いて所定の演算処理を行う。システム制御回路５０は、画像処理回路２０において得られた演算結果に基づいて、ＡＦ（オートフォーカス）処理、ＡＥ（自動露出）処理、ＥＦ（フラッシュプリ発光）処理、ＴＴＬ方式のＡＷＢ（オートホワイトバランス）処理を行う。
【００１８】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００１９】
２４は画像表示メモリ、２６はＤ／Ａ変換器、２７はＤ／Ａ変換器２６の出力を外部モニタに出力する外部出力コネクタである。外部出力コネクタ２７にコネクタが挿されている場合は、システム制御回路５０は外部出力接続検知部１０８により外部出力状態を知ることができる。
【００２０】
２８は画像表示部であり、例えばＴＦＴタイプのＬＣＤで構成される。画像表示メモリ２４に書き込まれた表示用の画像データはＤ／Ａ変換器２６を介して画像表示部２８により表示される。画像表示部２８を用いて撮像した画像データを逐次表示すれば、電子ファインダ機能を実現することが可能である。また、画像表示部２８は、システム制御回路５０の指示により任意に表示をＯＮ／ＯＦＦすることが可能であり、表示をＯＦＦにした場合には撮像装置１００の電力消費を大幅に低減することができる。
【００２１】
さらに、画像表示部２８は、回転可能なヒンジ部によって撮像装置１００本体と結合されており、自由な向き、角度を設定して電子ファインダ機能や再生表示機能、各種表示機能を使用することが可能である。また、画像表示部２８の表示部分を撮像装置１００に向けて格納することが可能である。この場合、システム制御回路５０は、画像表示部開閉検知部１０６により画像表示部２８の表示部分の格納状態を検知して、画像表示部２８の表示動作を停止することができる。
【００２２】
３０は、撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。メモリ３０は、記録媒体２００や２１０の書き込みバッファとしても使われる。３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２３】
４０は露光制御部であり、絞り機能を備えるシャッター１２を制御する。露光制御部４０は、フラッシュ４８と連携することによりフラッシュ調光機能も有する。４２は撮影レンズ１０のフォーカシングを制御する測距制御部、４４は撮影レンズ１０のズーミングを制御するズーム制御部である。４６はバリア制御部であり、撮影レンズ１０を含む撮像部を保護するレンズバリア１０２の動作を制御する。４８はフラッシュであり、ＡＦ補助光の投光機能、フラッシュ調光機能も有する。露光制御部４０、測距制御部４２はＴＴＬ方式を用いて制御されており、撮像した画像データを画像処理回路２０によって演算した演算結果に基づき、システム制御回路５０が露光制御部４０、測距制御部４２に対して制御を行う。
【００２４】
５０はシステム制御回路であり、撮像装置１００全体を制御する。システム制御回路５０は、不揮発性メモリ５６に記録されたプログラムを実行することで、後述する各実施例の処理を実現する。５２は、システム制御回路５０の動作用の定数、変数、不揮発性メモリ５６から読み出したプログラム等を展開するメモリである。
【００２５】
５４は表示部であり、システム制御回路５０でのプログラムの実行に応じて、文字、画像、音声等を用いて動作状態やメッセージ等を表示する液晶表示装置やスピーカ等で構成される。表示部５４は撮像装置１００の操作部近辺の視認し易い位置に単数あるいは複数個所設置され、例えばＬＣＤやＬＥＤ、発音素子等の組み合わせにより構成されている。また、表示部５４は、その一部の機能が光学ファインダ１０４内に設置されている。表示部５４の表示内容のうち、ＬＣＤ等に表示するものとしては、絞り値表示、露出補正表示、フラッシュ表示、マクロ撮影表示、ブザー設定表示、電池残量表示、エラー表示、記録媒体２００及び２１０の着脱状態表示等がある。また、表示部５４の表示内容のうち、光学ファインダ１０４内に表示するものとしては、合焦表示、手振れ警告表示、フラッシュ充電表示、シャッタースピード表示、絞り値表示、露出補正表示、等がある。
【００２６】
５６は電気的に消去・記録可能な不揮発性メモリであり、例えばＥＥＰＲＯＭが用いられる。不揮発性メモリ５６には、システム制御回路５０の動作用の定数、プログラム等が記憶される。ここでいう、プログラムとは、後述の各種フローチャートを実行するためのプログラムのことである。５８はタイマであり、記録媒体２００や２１０のデータ記録速度や、取得するデータのデータレートを測定するため、および本発明のメイン機能であるタイマ撮影の際の時間測定に使われる。
【００２７】
６０、６２、６４、６６、６８及び７０は、システム制御回路５０の各種の動作指示を入力するための操作機構であり、スイッチやダイアル、タッチパネル、視線検知によるポインティング、音声認識装置等の単数或いは複数の組み合わせで構成される。以下、これらの操作機構の具体的な説明を行う。
【００２８】
６０はモードダイアルスイッチで、電源オフ、自動撮影モード、撮影モード（パノラマ撮影モード、動画撮影モード含む）、再生モード、マルチ画面再生・消去モード、ＰＣ接続モード等の各機能モードを切り替え設定することができる。６２はシャッタースイッチ（ＳＷ１）であり、シャッターボタン６１の操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。６４はシャッタースイッチ（ＳＷ２）で、シャッターボタン６１の操作完了でＯＮとなり、撮像素子１４から読み出した信号をＡ／Ｄ変換器１６、メモリ制御回路２２を介してメモリ３０に画像データを書き込む露光処理の動作開始を指示する。同時に、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始も指示される。また動画撮影の場合は動画撮影の開始・停止が指示される。
【００２９】
６６は画像表示ＯＮ／ＯＦＦスイッチで、画像表示部２８のＯＮ／ＯＦＦを設定することができる。この機能により、光学ファインダ１０４を用いて撮影を行う際に、ＴＦＴ  ＬＣＤ等から成る画像表示部２８への電流供給を遮断することにより、省電力を図ることが可能となる。６８はクイックレビューＯＮ／ＯＦＦスイッチで、撮影直後に撮影した画像データを自動再生するクイックレビュー機能を設定する。なお、本実施形態では特に、画像表示部２８をＯＦＦとした場合におけるクイックレビュー機能の設定をする機能を備えるものとする。
【００３０】
操作部７０は各種ボタンやタッチパネル等からなる。具体的に例示すると、以下の通りとなる。メニューボタン。セットボタン。マクロボタン。マルチ画面再生改ページボタン。フラッシュ設定ボタン。単写／連写／セルフタイマ切り替えボタン。メニュー移動＋（プラス）ボタン。メニュー移動−（マイナス）ボタン。再生画像移動＋（プラス）ボタン。再生画像移動−（マイナス）ボタン。撮影画質選択ボタン。露出補正ボタン。日付／時間設定ボタン。各種機能の選択及び切り替えを設定する選択／切り替えボタン。各種機能の決定及び実行を設定する決定ボタン。画像表示部２８のＯＮ／ＯＦＦを設定する表示ボタン。撮影直後に撮影した画像データを自動再生するクイックレビュー機能を設定するクイックレビューＯＮ／ＯＦＦスイッチ。撮影時においてはズームと広角の調節、再生時においては画像表示の拡大／縮小の調節や１画面表示／マルチ画面表示の切り替えを行うズーム操作部。ＪＰＥＧ（Ｊｏｉｎｔ  Ｐｈｏｔｏｇｒａｐｈｉｃ  Ｅｘｐｅｒｔ  Ｇｒｏｕｐ）圧縮の圧縮率を選択するため、或いは撮像素子の信号をそのままデジタル化して記録媒体に記録するＣＣＤＲＡＷモードを選択するための圧縮モードスイッチ。撮影範囲を合成するための合成範囲指定のためのタッチパネルなど。
【００３１】
電源制御部８０は、電池の装着の有無、電池の種類、電池残量の検出を行い、検出結果及びシステム制御回路５０の指示に基づいて、必要な電圧を必要な期間、記録媒体を含む各部へ供給する。８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源部である。
【００３２】
９０及び９４はメモリカードやハードディスク等の記録媒体とのインターフェースである。９２及び９６はメモリカードやハードディスク等の記録媒体と接続を行うコネクタである。９８は記録媒体着脱検知部であり、コネクタ９２及び或いはコネクタ９６に記録媒体２００或いは２１０が装着されているか否かを検知する。
【００３３】
なお、本実施形態では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。インターフェース及びコネクタとしては、ＰＣＭＣＩＡカードやＣＦ（コンパクトフラッシュ（登録商標））カード等の規格に準拠したものを用いて構成して構わない。さらに、インターフェース９０及び９４、そしてコネクタ９２及び９６に各種通信カードを接続することにより、他機器との間で画像データや画像データに付属した管理情報を転送し合うことができる。
【００３４】
１０２は、撮像装置１００のレンズ１０を含む撮像部を覆う事により、撮像部の汚れや破損を防止するレンズバリアである。１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示などが設置されている。１０６は画像表示部開閉検知部であり、画像表示部２８が表示部分を撮像装置１００に向けて格納した格納状態にあるかどうかを検知することができる。ここで、格納状態にあると検知したならば画像表示部２８の表示動作を停止して不要な電力消費を禁止することが可能である。
【００３５】
１０８は外部出力コネクタ接続検知部であり、外部出力コネクタ２７に外部モニタが接続されているかどうかを検知することができる。ここで、接続状態にあると検知したならば画像表示部２８の代わりに外部モニタを表示装置として用いることが可能である。１０９は、ＲＴＣ（ＲｅａｌＴｉｍｅ  Ｃｌｏｃｋ）であり、電源制御部８０とは別に内部に電源部を保持し、電源部８６が電源供給していない状態であっても、時計動作状態を続けている。システム制御回路５０は、起動時にＲＴＣ１０９より取得した日時を用いてタイマ制御する。
【００３６】
１１０は通信部であり、ＲＳ２３２ＣやＵＳＢ、ＩＥＥＥ１３９４、Ｐ１２８４、ＳＣＳＩ、モデム、ＬＡＮ、無線通信、等の各種通信機能を有する。１１２は通信部１１０により撮像装置１００を他の機器と接続するコネクタ或いはアンテナ（無線通信の場合）である。
【００３７】
１１４はマイクであり、音声データ取得部として機能する。１１６はＡ／Ｄ変換器であり、マイク１１４で得られた音声データをシステム制御回路５０で取得するためにＡ／Ｄ変換する。１１８はスピーカであり、音声データ再生部として機能する。１２０はＤ／Ａ変換器であり、システム制御回路５０から出力されるデジタル音声データをスピーカ１１８で再生するためにＤ／Ａ変換する。
【００３８】
２００，２１０はメモリカードやハードディスク等の記録媒体である。記録媒体２００，２１０は、半導体メモリや磁気ディスク等から構成される記録部２０２，２１２、撮像装置１００とのインターフェース２０４，２１４、撮像装置１００と接続を行うコネクタ２０６，２１６を備えている。また、この記録媒体２００，２１０がＰＣＭＣＩＡ規格のＰＣ−ＣａｒｄやＣＦ等の場合は、性能が記されている情報記憶回路を内蔵していることもある。
【００３９】
次に、本発明に係る処理の流れを図３、図４を参照して説明する。
【００４０】
［撮像装置のタイマ再起動音声登録処理の動作について]
【００４１】
図３は、本実施形態の撮像装置１００におけるタイマ再起動音声を登録する処理の動作を説明するフローチャートである。このフローチャートにおける各処理は、システム制御部５０が不揮発性メモリ５６等に格納されたプログラムをシステムメモリ５２に展開して実行することにより実現される。
【００４２】
ユーザが撮像装置の音声登録に対応する操作部７０のボタンなどを押下すると、タイマの時間を変更するきっかけとなる音声を登録するための図３のフローチャートが開始される。
【００４３】
ステップＳ３０１において、撮像装置１００のシステム制御部５０は、撮像装置の外部で発生された音声をマイク１１４から取得しＡ／Ｄ変換器１１６でＡ／Ｄ変換して取得する。
【００４４】
次に、ステップＳ３０２において、システム制御部５０は、取得された音声信号の解析を行うことで、外部音声の音声特性、すなわち、音量の情報、音声波形の情報、および基本周波数の情報を抽出する。抽出後、これらの音声特性を不揮発性メモリ５６へ、たとえばファイル形式で記憶する。ステップＳ３０２までに表示部５４に表示される画面の表示例を図５を参照して説明する。
【００４５】
図５は、本実施形態の撮像装置１００の表示部５４に表示される音声登録時の画面イメージの一例である。
【００４６】
５０１は、ステップＳ３０１の処理の際に表示される画面イメージであり、５０１の表示されているように、ユーザの動作による音声もしくは発声などを促す。
【００４７】
５０２は、ステップＳ３０２の処理の際に表示される画面イメージであり、５０２を表示中にタイマ再起動音声を解析し、解析結果の音声特性を不揮発性メモリ５６へ記憶している。図３のフローチャートの説明に戻る。
【００４８】
次に、図３のステップＳ３０３において、システム制御部５０は、タイマ再起動時に設定するタイマ時間の入力をユーザに促す画面を表示する。ステップＳ３０３で表示部５４に表示される画面の表示例を図６を参照して説明する。
【００４９】
図６は、本実施形態の撮像装置１００の表示部５４に表示される再起動タイマ時間の設定画面イメージの一例である。
【００５０】
６０１は、再起動タイマ時間設定画面であり、制御タイマ時間として６０２にユーザからの入力を求める画面を表示する。［短縮］チェックボックス６０３は、ステップＳ３０２で登録した音声と同じ特性の音声を受け付けた場合に、残りのタイマ時間からの短縮時間を設定する際にユーザがチェックするチェックボックスである。［短縮］チェックボックス６０３にチェックが入っている場合は、制御タイマ時間６０２の秒数だけ、残りのタイマ時間から削除して、タイマを継続する。図３のフローチャートの説明に戻る。
【００５１】
次に、図３のステップＳ３０４において、システム制御部５０は、ステップＳ３０３で表示した画面（たとえば、図６の６０１）に入力された再起動タイマ時間を制御タイマ時間として、ステップＳ３０２で記憶した音声特性と紐付けて記憶して、一連の処理を終える。音声特性データと制御タイマ時間とを紐付けて記憶したデータの例を図１０を参照して説明する。
【００５２】
図１０は、本実施形態の撮像装置１００の不揮発性メモリ５６に記憶されたタイマ再設定秒数（制御タイマ時間）と音声特性データファイル名との関係を示した模式図である。
【００５３】
１００１のテーブルは、音声特性データファイル名と、それに紐付くタイマ再設定秒数を示す。たとえば、「音声１．ｄａｔ」という音声特性のファイルに紐付くタイマの再設定秒数は１０秒であり、「音声１．ｄａｔ」ファイルと同じ特性の音声を受け付けると、タイマ時間を今のタイマの進捗によらず、１０秒と再設定してタイマ撮影を開始できることを意味する。
【００５４】
また、１００２のように、マイナス表示されたタイマ再設定秒数は、残りのタイマ時間から表示の時間を引いた時間を再設定タイマの秒数とすることを意味する。たとえば、「音声２．ｄａｔ」ファイルと同じ特性の音声を受け付けると、タイマ時間を今のタイマの設定時間から、３秒だけ減じてタイマ再設定秒数とする。具体的には、現在の残りタイマ時間が７秒であった場合は、「音声２．ｄａｔ」ファイルと同じ特性の音声を受け付けると、タイマ時間は、７−３＝４秒となる。
【００５５】
なお、上記でいう、記憶している音声特性が受け付けた音声の特性と同じの意味は、２つの音声特性の差分が一定の閾値以下かどうかにより判断しており、必ずしも一致している場合だけを意味するものではない。以降も同様である。
【００５６】
次に、撮像装置のタイマ撮影時の処理動作について、図４を参照して説明する。
［撮像装置のタイマ撮影処理の動作について]
【００５７】
図４は、本実施形態の撮像装置１００におけるタイマ撮影処理の動作を説明するフローチャートである。このフローチャートにおける各処理は、システム制御部５０が不揮発性メモリ５６等に格納されたプログラムをシステムメモリ５２に展開して実行することにより実現される。
【００５８】
図４のフローチャートは、ユーザが操作部７０のセルフタイマ切り替えボタンが押下された際に実行されるフローチャートである。
【００５９】
ステップＳ４０１において、撮像装置１００のシステム制御部５０は、表示部５４にタイマ撮影の時間入力を受け付ける画面を表示し、ユーザからタイマ撮影の時間の入力を受け付ける。タイマ撮影の時間入力を受け付ける画面イメージを図７を参照して説明する。
【００６０】
図７は、本実施形態の撮像装置１００の表示部５４に表示されるタイマ時間の設定画面イメージの一例である。
【００６１】
７０１は、タイマ時間設定画面のイメージであり、７０２のように、タイマ時間が１０秒と設定されていると、タイマ撮影はシャッターボタン６１を押下した後、１０秒後に撮影が行われる。なお、タイマ撮影前にタイマ撮影の時間が予め設定されていれば、予め設定されているタイマ時間をデフォルトとしてステップＳ４０１の処理を省略しても良い。図４のフローチャートの説明に戻る。
【００６２】
次に、図４のステップＳ４０２において、システム制御部５０は、ユーザからのシャッターボタンの押下を受け付け、次のステップＳ４０３による撮影タイマを起動する。撮影タイマを開始し、タイマ撮影を開始した後の画面イメージを図８を参照して説明する。
【００６３】
図８は、本実施形態の撮像装置１００の表示部５４に表示されるタイマ撮影開始後の画面イメージの一例である。
【００６４】
８０１は、タイマ撮影時の画面のイメージであり、８０２のようにプログレスバーを表示し、時間の経過を示す。黒い部分が経過時間であり、黒い部分が徐々に増えてバー全体が黒くなった時にシャッターが切られ、撮影されることを意味する。図４のフローチャートの説明に戻る。
【００６５】
次に、図４のステップＳ４０４において、システム制御部５０は、マイク１１４を介して音声信号を入力し、音声を解析する。解析の結果、マイク１１４から入力した音声信号の音声特性データ、すなわち、音量の情報、音声波形の情報、および基本周波数の情報を抽出する。
【００６６】
次に、ステップＳ４０５において、システム制御部５０は、ステップＳ４０４で解析した入力音声の特性データと、図３のステップＳ３０２で記憶した音声の特定データとを比較し、２つの音声特性の差分が一定の閾値以下かどうかを判断する。一定の閾値以下の場合、すなわち２つの音声が同じ音声と判断された場合は、ステップＳ４０８へと処理を移行し、一定の閾値より大きい場合、すなわち２つの音声が異なる音声と判断された場合は、ステップＳ４０６へと処理を移行する。
【００６７】
ステップＳ４０８へと処理を移行すると、システム制御部５０はステップＳ４０５で入力音声と同じ音声と判断された音声特性データに紐付けられたタイマ再設定秒数を取得し、そのタイマ再設定秒数に撮影タイマを設定する。具体例を図９を参照して説明する。
【００６８】
図９は、本実施形態の撮像装置１００のタイマ再設定のイメージを説明するための模式図である。
【００６９】
たとえば、図９において、９０３のユーザが９０４の撮像装置で１０秒後に撮影を行うタイマ撮影に設定し、シャッターボタンを押下する。シャッターボタンを押下後、カメラの被写体位置までユーザが移動し、撮影される１０秒後を待とうとしていると、ちょうど１０秒後辺りに撮像装置９０４とユーザ９０３との間を横切ろうとする人が確認できた。その際、ユーザ９０３は予め登録している音声（図９の場合は、「早く」）とタイマ時間３秒を紐付けており、予め登録している音声（図９の場合、［早く］）を発し、撮像装置のタイマ時間を３秒に短くして撮影を行う。９０１が音声入力を受け付けてタイマ時間が短く設定されたイメージ図である。プログレスバー９０２は、図８の８０２よりも残りの時間が短くなっていることを示す。これらの処理により、タイマの時間をずらして撮影することができ、しかも音声を発生させた瞬間を撮影しないことから、ユーザの自然な表情を写すことができる。すなわち、大声を出した瞬間や手を叩く瞬間などの撮影を行わずに済むという利点がある。図４のフローチャートに戻る。
【００７０】
ステップＳ４０８の処理が終了すると、ステップＳ４０３へと処理を移行し、ステップＳ４０８で再設定されたタイマ時間で撮影タイマを起動する。その後は、一連の処理を行う。
【００７１】
なお、図８のステップＳ４０８を一度通過した場合は、タイマ起動後の一定時間（たとえば２秒など）、ステップＳ４０４の音声入力を行わない処理を行うことも可能である。この処理により、たとえば前者のように、撮像装置９０４とユーザ９０３との間を他人が通ろうとし、ユーザ９０３が複数人の場合に、複数人が「早く」や「待て」などの言葉を発した際に、撮影時間が音声を入力する度にタイマ時間が延長される可能性を排除し、、撮影タイミングを逃さず捕らえることが可能になるという効果を生む。
【００７２】
一方、ステップＳ４０５において、ステップＳ４０４で解析した入力音声の特性データと、図３のステップＳ３０２で記憶した音声の特定データとの差分が、一定の閾値より大きい場合、すなわち２つの音声が異なる音声と判断された場合は、ステップＳ４０６へと処理を移行する。
【００７３】
ステップＳ４０６において、システム制御部５０は、撮影タイマが０秒になったかを判断する。０秒になっていなければ、ステップＳ４０４へと戻り、音声入力処理からの処理を繰り返す。
【００７４】
一方、ステップＳ４０６において、撮影タイマが０秒になった場合は、次のステップＳ４０７へと処理を移行する。
【００７５】
ステップＳ４０７において、システム制御部５０は、被写体を撮影する。具体的には、シャッター１２を開放し、撮像素子１４に撮影画像を取り込み、撮像素子１４から読み出した信号をＡ／Ｄ変換器１６、メモリ制御回路２２を介してメモリ３０に画像データを書き込む露光処理の動作を実行する。
【００７６】
以上の処理により、本実施形態の撮像装置は、予め登録された音声を受け付け、音声に対応した撮影のタイマを再起動することにより、被写体となる人物の撮影者が撮影したい写真を撮影することを可能にするという効果を有する。
【００７７】
以上、撮像装置により本発明を説明したが、本発明の適用はこれに限られるものではなく、携帯電話や携帯端末等の、撮影が可能な装置に適用が可能である。
【００７８】
また、本発明は、複数の機器から構成されるシステムに適用しても良いし、また、一つの機器からなる装置に適用しても良い。
【００７９】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００８０】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００８１】
その場合、プログラムの機能を有していれば、オブジェクトコード、インタプリタにより実行されるプログラム、ＯＳに供給するスクリプトデータ等、プログラムの形態を問わない。
【００８２】
プログラムを供給するためのコンピュータ読み取り可能な記憶媒体、或いは、記録媒体としては以下に示すものが考えられる。例えば、フレキシブルディスク、ハードディスク、磁気テープ等の磁気記録媒体、ＭＯ、ＣＤ−ＲＯＭ、ＣＤ−Ｒ、ＣＤ−ＲＷ、ＤＶＤＲＯＭ、ＤＶＤ−Ｒ、ＤＶＤ−ＲＷ等である。また、光／光磁気記録媒体不揮発性の半導体メモリでもよい。
【００８３】
有線／無線通信を用いたプログラムの供給方法としては、次のような方法が考えられる。すなわち、コンピュータネットワーク上のサーバに本発明を形成するコンピュータプログラムそのもの、もしくはプログラムデータファイルを記憶し、接続のあったクライアントコンピュータにプログラムデータファイルをダウンロードするような方法である。
【００８４】
ここで、プログラムデータファイルとしては、圧縮され、本発明を形成するコンピュータプログラムと自動インストール機能を含むファイル等も含まれる。
【００８５】
この場合、プログラムデータファイルを複数のセグメントファイルに分割し、セグメントファイルを異なるサーバに配置することも可能である。
【００８６】
つまり、本発明の機能処理をコンピュータで実現するためのプログラムデータファイルを複数のユーザに対してダウンロードさせるサーバ装置も本発明に含む。
【００８７】
また、上述の実施形態の機能を実現するプログラムを暗号化し記録媒体に格納してユーザに配布し、所定の条件を満たしたユーザに対して暗号化を解く鍵情報を、ネットワークを介してダウンロードさせることによって供給するような方法も考えられる。その鍵情報を使用することにより暗号化されたプログラムを実行してコンピュータにインストールさせて本発明を実現することも可能である。
【００８８】
コンピュータが供給されたプログラムコードを実行することにより、上述の実施形態の機能が実現される。また、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれる。
【００８９】
さらに、供給されたプログラムコードがコンピュータの機能拡張ボードやコンピュータに接続された機能拡張ユニットに備わるメモリに格納される場合にも本発明に含まれる。また、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【符号の説明】
【００９０】
１００  撮像装置
１２  シャッター
１４  撮像素子
５４  表示部
６１  シャッターボタン
【図１】
2015210467.tif 000003
【図２】
2015210467.tif 000004
【図３】
2015210467.tif 000005
【図４】
2015210467.tif 000006
【図５】
2015210467.tif 000007
【図６】
2015210467.tif 000008
【図７】
2015210467.tif 000009
【図８】
2015210467.tif 000010
【図９】
2015210467.tif 000011
【図１０】
2015210467.tif 000012